(57)【特許請求の範囲】
【請求項１】
スリップ成形法により製造された数条の中空孔を併設し、長さ方向に数本のプレストレスＰＣ鋼材が一体化してある中空コンクリート版よりなる段差成形用コンクリート版の接続側の中空孔位置には、その上面から前記中空孔に達するとともに前記中空孔に沿って切り込んであるアンカー鉄筋挿入用スリットが設けられ、
該アンカー鉄筋挿入用スリットの終端部は前記中空孔の孔径よりも若干幅広に形成し、かつ当該アンカー鉄筋挿入用スリットは前記中空孔の一条おきに設けたものであり、
前記アンカー鉄筋挿入用スリットの無い中空孔には、その接続端より内側の位置にコンクリート版上面より当該中空孔に達するモルタル乃至コンクリート注入孔がそれぞれ設けてあること、
を特徴とする段差スラブ成形用コンクリート版。
【請求項２】
コンクリート版の上面には、横断方向にコッター凹部が形成してあり、かつ、各中空孔内の天井壁にも前記コッター窪みに倣った突起がそれぞれ横断方向に所定ピッチで成形してあること、
を特徴とする請求項１に記載の段差スラブ成形用コンクリート版。
【請求項３】
アンカー鉄筋挿入用スリットのある中空孔には、根元に概ね大径若しくは屈曲部を持つアンカー鉄筋がその根元を前記中空孔内に挿入してあるとともに、該アンカー鉄筋の先端側をコンクリート版の接続側の端面から箱篭接続梁鉄筋内に挿入可能に傾斜して突出して且つ相手方の接続端近くに達する位置まで突出させてあり、
前記アンカー鉄筋挿入用スリットの無い中空孔には真直な補強鉄筋の根元が挿入されるとともに先端は箱篭接続梁鉄筋内に挿入可能に突出させ箱篭接続梁鉄筋内に挿入可能に突出させてあり、
前記アンカー鉄筋と前記補強鉄筋との中空孔内の挿入部分にモルタル乃至コンクリートが充填され固着されていること、
を特徴とする請求項１又は２に記載の段差スラブ成形用コンクリート版。
【請求項４】
請求項１乃至請求項３のいずれか１項に記載の段差スラブ成形用コンクリート版を低位置側とし、前記請求項１乃至請求項３のいずれかの１項に記載の段差スラブ成形用コンクリート版を上位置側とし、この両側の段差スラブ成形用コンクリート版を相互に接続端を向かい合わせてあるとともにこれらの間に箱篭型接続鉄筋を配置し、前記段差スラブ成形用コンクリート版のスリットに挿入されて根元が概ね大径乃至屈曲部をもつアンカー鉄筋の先端が前記箱篭型接続鉄筋内に挿入して反対側の段差スラブ成形用コンクリート版の近くまで配筋してあり、前記スリットのない各中空孔にはそれぞれの端面より補強鉄筋が突出されその先端が前記箱篭接続梁鉄筋内に挿入させて突出させ、前記上下の段差スラブ成形用コンクリート版の上には現場打コンクリート層用鉄筋が相互に段差を設けて敷設してあり、これらすべての鉄筋は現場打ちコンクリートで埋設し上下位置の段差スラブ成形用コンクリート版部において段差を付けて固化させてあること、
を特徴とする段差スラブ成形用コンクリート版を用いた段差スラブ構造。
【発明の詳細な説明】
【０００１】
【発明の属する技術分野】
この発明は主として高層住宅などの床材として用いられるＰＣ鋼材入りのプレストレス中空孔を有するコンクリート版に関し、特にスラブの途中に段差のあるものを成形するためのコンクリート版、これを用いた段差スラブ、及びその成形方法に関する。
【０００２】
【技術の技術】
従来前述のようなスラブの途中に段差のある床は風呂場などの水周り部分に用いられ、この部分を構築するものとしては、特開平８−４２０３５号公報に、段差付きのコンクリート版とその用法が発表されている。
この製造方法の概要は、一つ一つのスラブにおいて、段差を設けて成形する際に、コンクリート型枠内において上位床版と下位床版となる部分に、ストレス導入のＰＣの鋼棒（鋼材）を別々に挿入し、プレテンション若しくはポストテンションで、応力の導入を行い、段差部の梁の補強筋と前記ＰＣ鋼棒とをからめ、コンクリートを打設して段差付コンクリート版を成形している。
またコンクリート工学年次論文報告集VOL、17、NO．2  1995  には、前記段差付コンクリート版及びＰＣ鋼棒が段差部で斜めに接続されている２種の強度実験報告がされている。
【０００３】
しかしながら、これらのものは、各段差付コンクリート版は固別に型枠内で成形し、かつその度にＰＣ鋼材に応力の導入を行って成形するものであり、大きな型枠と、それぞれの型枠に応力導入装置をその都度連結しなければならず製造過程が複雑で、製造コストが通常のフラットのスラブに対し、数倍にもなる。また、この段差付コンクリート版には中空孔がない為、重量も大となり、これらを支える建築物の軸組材もその分丈夫にする必要があり、高層住宅全体としての構築コストに上昇を招き、普及には今一歩の感がある。
【０００４】
【発明が解決しようとする課題】
そこで、この発明は従来公知のスリップ成形法により製造された数条の中空孔を有し、長さ方向に数本のプレストレスＰＣ鋼材が一体化してある中空成形コンクリート版（図１４参照）Ａ０を活用し、段差スラブが比較的簡単に製造でき、丈夫で中空孔のないものより軽量なものができる段差スラブ成形用コンクリート版を市場に提供すること、及びこれに用いた段差スラブ構造及びその製造方法を市場に提供することである。
【０００５】
【課題を解決するための手段】
前記の課題を解決するために、この発明は、スリップ成形法により製造された数条の中空孔を併設し、長さ方向に数本のプレストレスＰＣ鋼材が一体化してある中空コンクリート版にりなる段差成形用コンクリート版の接続側の中空孔位置には、その上面から前記中空孔に達するとともに前記中空孔に沿って切り込んであるアンカー鉄筋挿入用スリットが設けられ、該アンカー鉄筋挿入用スリットの終端部は前記中空孔の孔径よりも若干幅広に形成し、かつ当該アンカー鉄筋挿入用スリットは前記中空孔の一条おきに設けたものであり、前記アンカー鉄筋挿入用スリットの無い中空孔には、その接続端より内側の位置にコンクリート版上面より当該中空孔に達するモルタル乃至コンクリート注入孔がそれぞれ設けてあることとするものである。
【０００６】
また前記の課題を解決するために、コンクリート版の上面には、横断方向にコッター凹部が形成してあり、かつ、各中空孔内の天井壁にも前記コッター窪みに倣った突起がそれぞれ横断方向に所定ピッチで成形してあることを含む。
更に、アンカー鉄筋挿入用スリットのある中空孔には、根元に概ね大径若しくは屈曲部を持つアンカー鉄筋がその根元を前記中空孔内に挿入してあるとともに、該アンカー鉄筋の先端側をコンクリート版の接続側の端面から箱篭接続梁鉄筋内に挿入可能に傾斜して突出して且つ相手方の接続端近くに達する位置まで突出させてあり、前記アンカー鉄筋挿入用スリットの無い中空孔には真直な補強鉄筋の根元が挿入されるとともに先端は箱篭接続梁鉄筋内に挿入可能に突出させ箱篭接続梁鉄筋内に挿入可能に突出させてあり、前記アンカー鉄筋と前記補強鉄筋との中空孔内の挿入部分にモルタル乃至コンクリートが充填され固着されていることを含むものである。
【０００７】
前記の課題を解決するため、本発明に係る段差スラブ成形用コンクリート版を用いた段差スラブ構造の要旨は、前記本発明に係る段差スラブ成形用コンクリート版を低位置側とし、前記本発明に係る段差スラブ成形用コンクリート版を上位置側とし、この両側の段差スラブ成形用コンクリート版を相互に接続端を向かい合わせてあるとともにこれらの間に箱篭型接続鉄筋を配置し、前記段差スラブ成形用コンクリート版のスリットに挿入されて根元が概ね大径乃至屈曲部をもつアンカー鉄筋の先端が前記箱篭型接続鉄筋内に挿入して反対側の段差スラブ成形用コンクリート版の近くまで配筋してあり、前記スリットのない各中空孔にはそれぞれの端面より補強鉄筋が突出されその先端が前記箱篭接続梁鉄筋内に挿入させて突出させ、前記上下の段差スラブ成形用コンクリート版の上には現場打コンクリート層用鉄筋が相互に段差を設けて敷設してあり、これらすべての鉄筋は現場打ちコンクリートで埋設し上下位置の段差スラブ成形用コンクリート版部において段差を付けて固化させてあることである。
【０００９】
【発明の作用】
請求項1記載の発明においては、前述の通りに構成しているから接続用のアンカー筋は、前記コンクリート版の上面からスリット部分を通して、各中空孔部分に挿入でき、またコンクリート版の上面からモルタル若しくはコンクリートをこのスリットから注入若しくは圧入すれば、アンカー鉄筋のコンクリート版の結合が強固なものが得られる。
このモルタル及びコンクリートの注入乃至圧入はこのコンクリート版を用い、このコンクリート版の上面に現場打コンクリート層を形成する複合コンクリートスラブを構築する際においても、使用可能となる。
【００１０】
更に、スリットのある中空孔は一条おきであるから、コンクリート版の端部の強度を必要以上に劣化させる恐れはないし、スリットの終端部分は拡大幅に形成したものであるからアンカー鉄筋の根元が拡大径の板を取付けたものや、側方に屈曲してあるものでも、用いることができ、モルタル乃至コンクリートをこのスリット部に注入乃至圧入し、固化したときにはこれらはスリットの拡大幅部分において、アンカー鉄筋には拡大根が形成されアンカー鉄筋がコンクリート版の中空孔から抜け出るおそれのないものとなる作用をなす。
【００１１】
残りの中空部分には注入孔が前述の通り設けてあるから、この注入孔のある各中空孔に補強鉄筋を約前記注入孔部分まで挿入後、この注入孔部分からモルタル乃至コンクリートを注入し、コンクリートの接続端からこれらモルタル乃至コンクリートが中空孔内壁と補強鉄筋間から溢出するまで注入すれば、これらが中空孔内で固化したとき、コンクリート版と補強鉄筋は強固な結合とする作用を為す。また注入孔が前記の位置に設けてあるから、モルタル若しくはコンクリートは必要以上に注入されず、且つ結合に充分な量が注入される。
【００１３】
コンクリート版の表面に現場打ちコンクリートとの結合を強固なものとするコッター窪みが形成してあり、且つ前記各中空孔内にも、横断方向に畝が横切る凹凸を形成したものであるから、前記アンカー鉄筋や、補強鉄筋を挿入後、これらを固定するためのモルタル乃至コンクリートを注入乃至圧入し、固化したとき、これら現場打ちのモルタル乃至コンクリートは前記の凹凸形状に倣い固化するため、これら固化したコンクリートは中空孔から抜け落ちることはなく、これら鉄筋に凹凸のある異形鉄筋若しくは鍔などのあるものを用いれば更に強固に固定され、これらがコンクリート版から抜け落ちることはない。
【００１４】
各コンクリート版の接続端の各中空孔に、アンカー鉄筋と補強鉄筋とが予め前述の通り強固に固定したものであるから、この結合自体で工場生産が可能となり、取付け強度の信頼性が高い作用を為す。
【００１５】
段差スラブ成形用コンクリート版を用いた段差スラブ構造は、前述のとおりに構成された複合床を構成した段差スラブであるから丈夫であり、しかも、段差部を挟んだコンクリート版部分はプレストレスＰＣ鋼材入りの中空孔コンクリート版であるから、公知の段差付きコンクリートスラブよりは遙かに軽量であり、同等の強度を有する。
【００１８】
【発明の実施の形態】
実施の形態１
図１乃至３に示すものであり、請求項１、２及び４記載の発明を含む実施の形態の形態である。
図において、Ａ０は中空孔２０が数条設けてあるコンクリート版であり、通常長尺のベッド上に添って走行するスリットフォーマーによって成形されたものであり、コンクリート版Ａ０の下側寄には通常プレテンションにより引張荷重が加えられたＰＣ鋼棒乃至ＰＣ鋼材２１が長さ方向に埋設されており、これによりコンクリート版Ａ０に長さ方向に圧縮力が常時加えられている。
このコンクリート版Ａ０は梁Ｂなどの間にある水平な梁Ｂ１，Ｂ２間に中間に段差があり、一端側が高く他端側が低くなった段差スラブＳとするためのものである。
この接続端２３側の上面２４であって、中空孔２０の位置には中空孔２０の径に対して４乃至６倍の長さＬだけ、後述のアンカー鉄筋が挿入できるに充分な幅ｂのスリット２５が前記中空孔２０に達するまで設けてあり、この幅ｂは中空孔２０の直径（平面に見た幅）より狭くしてあり、半分程度が好ましい。
更に、スリット２５の終端２６は中空孔２０の幅より若干広く広幅窪み２７が前記スリット２５の設けてある中空孔２０は一条おきに設けてある。前記スリット２５は図１０の例示では奥が幅広で接続端２３側が若干狭くテーパを付けて形成してあるが、スリットは全長において平行でもよい（図３参照）。
中空孔２０のうち、前記スリット２５のない中空孔２０にはそれぞれ上面２４から中空孔２０に達するモルタル乃至コンクリートを注入する注入孔２８が穿設してあって、その注入孔２８の位置は接続端２３から中空孔２０の径の３乃至７の位置として実施の形態１のコンクリート版Ａとしてある。
【００１９】
以上実施の形態１においては、前述の通り、公知の方法により長尺の成形ベッド（図示してない）上にスリップフォーマーにより中空孔明き、ＰＣストレス鋼材２１入りのコンクリート版Ａ０としたものを用いている。この際コンクリート版Ａ０の上面２４には現場打ちのコンクリート層との結合をよくするため横断方向に長いコッター成形棒で押圧してコッター窪み３０が設けてあるが、これを形成するとき、前記中空孔２０の天井壁面２２にも中空孔２０の横断方向に畝を持つ緩やかな波形状の凹凸３１が中空孔２０の長さ方向にコッターピッチと同じピッチで形成してある（図２及び図５参照）。
【００２０】
実施の形態１の作用
この実施の形態１のコンクリート版Ａを使用するには、図１に示すアンカー鉄筋３５及び補強鉄筋３６を必要本数用意する。前記アンカー鉄筋３５は、根元３７に鍔３８が一体に固定してあり、この円盤若しくは角板形状の鍔３８の外径乃至一辺の寸法は中空孔２０に丁度嵌合可能な寸法か、若しくは前記広幅窪み２７に対応する寸法としてある（図１参照）。
また先端部にはフック３９が設けてあり、アンカー鉄筋３５の途中前記コンクリート版Ａの接続端部分で、下位用コンクリート版Ａ１においてアンカー鉄筋３５は上向きに仰角１５°乃至２０°屈曲させてあり、上位用コンクリート版Ａ１のアンカー鉄筋３５ａは、反対に下向きに同角度傾斜させて形成してある（図１、図７参照）。
【００２１】
また真直な補強鉄筋３６も必要本数用意する。これは内端に鍔３８ｂがあることが好ましいが、表面に凹凸のある異形鉄筋を用いる場合において鍔３８ｂは必ずしも必要ではない。
【００２２】
前述のようなアンカー鉄筋３５を、スリット２５から乃至鍔３８部分を広幅窪み２７の位置に合わせて、下位用コンクリート版Ａ２においては、上向きに屈曲させてあるアンカー鉄筋３５ｂを用意し、上位用コンクリート版Ａ１には下向きに屈曲させてあるアンカー鉄筋３５ａを挿入し、またスリット２５のない中空孔２０には前記補強鉄筋３６を挿入する（図１及び７参照）。
前述の各鉄筋３５、３６を挿入する前に各中空孔の各鉄筋３５、３６挿入位置より僅か奥にモルタル乃至コンクリート５０の流入を阻止する栓４０を詰めることが好ましい。この栓４０は合成樹脂成形品、金属板プレス成形品その他コンクリート成形品であってもよい。要は、モルタル若しくはコンクリート５０の注入時の動圧で紊に移動しないものであればよい。
このようにして、モルタル乃至コンクリートを前記スリット２５及び注入孔より注入乃至圧入して、前記鉄筋をそれぞれコンクリート版Ａに固定すれば、図７の状態とすることができ、これらは後述した請求項５記載の発明の実施の形態３となる。
【００２３】
実施の形態２
図６に示すものであり、請求項３記載の発明を含む実施の形態である。
実施形態１と異なるところは、接続端部において上面２４から中空孔２０の下限ちかくまで、コンクリート版Ａが殺ぎ落され、底部分のみが下位用コンクリート版Ａ２から連なった板状部２９になって下位用コンクリート版Ａ２としてある。
【００２４】
この板状部２９の長さは、下位用コンクリート版Ａ２を接続する箱型の接続梁相当寸法としてあり、後述の箱篭鉄筋４５が丁度載置できる長さにしてある。
したがって、前記アンカー鉄筋３５及び補強鉄筋３６が挿入される接続端２３はこの板状部２９の根元部分となり、この部分の上面２４から、前記スリット２５や注入孔２８が穿設してある。その他、図において実施の形態１と同一符合のところは同一の構成部材又は構成部分よりなり、この部分の上面２４から、前記スリット２５や注入孔２８が穿設してある。
その他、図において、実施の形態１と同一符号のところは同一の構成部材または構成部分よりなり、同一の作用及び効果を奏する。
【００２５】
実施の形態２の作用
前述の実施の形態１と同様の作用をなす外、前記板状部２９は２枚の上下用コンクリート版Ａ１及びＡ２を段差を用いて接続するとき前記箱篭鉄筋４５部の底型枠板の代りとなり、その分型枠４６が節約されるし、結合後の床面が綺麗になる。
【００２６】
実施の形態３
請求項５記載の発明を含む実施の形態であり、図７に示すものである。
下位用コンクリート版Ａ２は、実施の形態１のコンクリート版Ａを用い、スリット２５のある各中空孔２０には下位用のアンカー鉄筋３５ｂが用いられ、このアンカー鉄筋３５ａは前記スリット２５の位置の上面２４から挿入され、またスリット２５のない中空孔２０には真直な補強鉄筋３６を挿入し、前記スリット２５及び注入孔２８からモルタル若しくはコンクリートを注入し、前記アンカー鉄筋３５ａ補強鉄筋３６が強固にコンクリート版Ａに固着されたもので、下位用コンクリート版Ａ２としてある。
このアンカー鉄筋３５ｂは、上方に仰角１２°乃至２０°傾斜して、接続端２３から突出している。
【００２７】
他方上位用コンクリート版Ａ１としては前記コンクリート版Ａと全く同じであり、只アンカー鉄筋３５が下向きに屈曲したアンカー鉄筋３５ａを用いた以外は下位用コンクリート板Ａ１と何ら変わるところがない。
アンカー鉄筋３５ａの下向きの傾斜角も伏角β１２°乃至２０°としてある（α°＝β°）。
【００２８】
実施の形態４
図６に示すものであり、請求項５記載の実施の形態であり、前記の実施の形態として異なるところは下位用コンクリート版Ａ２として、実施の形態２のものを用いただけで、その他のアンカー鉄筋３５ｂ及び補強鉄筋３６の埋設及び固定構造は実施の形態３と何ら変わるところがない。
異なるところは、接続端２３の下面部に連なる板状部２９が前記アンカー鉄筋３５ｂの下側に突出成形してあることである。
【００２９】
実施の形態３及び４の作用
これらの実施の形態においては、下向きに傾斜したアンカー鉄筋３５ａを取付けた上位用コンクリート版Ａ１と、上向きに傾斜したアンカー鉄筋３５ｂを取付けた下位用コンクリート版Ａ２の接続端を現場の建造部の梁Ｂ１，Ｂ２間に適宜の支保材４９を用いて、上下用のコンクリート版Ａ１，Ａ２及び型枠４６を水平に支え、若しくは工場において、それぞれ適宜の型枠内において前記一対の上下用のコンクリート版Ａ１，Ａ２を向かい合わせ、これらアンカー鉄筋３５ａ、３５ｂ及び補強鉄筋３６をそれぞれこれらの中間に位置させた箱篭鉄筋４５内に挿入し、これらを各コンクリート版Ａ１、Ａ２の上面及び箱篭鉄筋４５部分に現場打ち生コンクリート５１を打設し、固化させて段差のある一対のコンクリート版とを結合した段差スラブＳを形成することができる作用を為す。
殊に実施の形態４のものを用いる場合は段差スラブＳとするとき、接続部下面が下低用コンクリート板Ａ２の下面がその侭用いられ、前記板状部２９が一体に接続するときは、一種の型枠の一部としての作用を為し、段差スラブＳとなったときも、下面が綺麗となる作用を為す。
このようにしてそれぞれ成形された段差スラＳは請求項６記載の発明の
実施の形態となる。
【００３０】
実施の形態５
前記の実施の形態３及び４の作用のところで説明した段差スラブＳであり、図９乃至図１３に示すものであり、請求項7記載の方法発明を含むものである。
先ず、段差スラブを形成するための段差スラブ用の型枠４６と、前記実施の形態３記載のコンクリート版Ａ１、Ａ２と箱篭鉄筋４５とを用意する。第１工程、
【００３１】
次に第３工程として段差スラブを構築すべき梁Ｂ１、Ｂ２間に前記型枠４６を設置し、従来知られている適宜の支持材（支保材）４９によってこれを支え、箱篭鉄筋４５を設置し、次に上下用一対のコンクリート版Ａ１、Ａ２を接続端２３が相向かい合い、かつ段差をつけて設置すると、相向い合うアンカー鉄筋３５ａ、３５ｂは相接してほぼ平行に箱篭鉄筋４５内で傾斜して位置、各補強鉄筋４６も箱篭鉄筋４５内にそれぞれ突出する状態となる（図９及び１０参照）。
このとき特に下位用コンクリート板Ａ２側においては現場打コンクリート５１が側方にこぼれないように型枠４６の一部が起立壁４７としてある。
下位用コンクリート版Ａ２は幅方向に複数枚設置することもある。図１２においては幅方向に２枚続けて設置した例を示した。
【００３２】
前述の型枠４６は一例を示すものであって、箱篭鉄筋４５部分以外の底面は必ずしも型枠４６を必要とせず、この方法もこの方法発明の実施の形態となる。
殊に上位置のコンクリート版Ａ１はこれらに連なる同レベルのスラブと隣接させて設けて、これら同一レベル部分は一括現場打コンクリート５１を打設するため、型枠４６に側板も底板も必要でない場合もある。このような型枠を一部に用いる場合もこの方法発明の実施の形態に含まれる。
次に第４工程として先ず、低位用コンクリートＡ２上に通常格子鉄筋を敷設し、この上に現場打コンクリート５１を所望厚さ打設する。この場所前記箱篭鉄筋４５中にも同レベルまで現場打ちコンクリート５１は流入する（図１１参照）。
【００３３】
次に、この部分がある程度固化した後、この下位用コンクリート板部分に、次に打設する現場打コンクリート５１が流入しないよう、型枠４６の一部として、囲型枠４８を取付け、上位用コンクリートＡ１の周辺上に設け、上位用コンクリートＡ１及びこれと同一レベルの隣接するスラブ上及び，前記の箱篭鉄筋４５部分にも一括現場打コンクリート５１を打設し、これらを上位用コンクリートＡ１、部分の現場打コンクリート５１と同一レベルに施工するこれによって、第４工程が終了する（図１３参照）。
【００３４】
実施の形態６
前述の方法は現場の構造物に直接施工する方法を説明したが段差スラブＳのみを予め工場などで成形する。手順は実施の形態４及び５と同一とする。このように成形した段差スラブＳも請求項６記載の発明に含まれる。
【００３５】
実施の形態７
実施の形態４の予めアンカー鉄筋３５及び補強鉄筋３６が固着してあるものを用いる代りに、これらアンカー鉄筋３５及び補強鉄筋３６が取付けてない実施の形態１又は２のコンクリート版Ａ１、Ａ２を用い、現場の型枠４６内において、これらをコンクリート版Ａ１、Ａ２のスリット２５から中空孔２０に、また中空孔２０の端面から補強鉄筋３６を挿入し、その他は実施の形態４と同様にモルタル若しくはコンクリート５０を前記スリット２５及び注入孔２８から注入し、後実施の形態５と同様に各種鉄筋を組み込み、現場打ちコンクリート５１を打設し全体を一体化師段差スラブＳとする。
前述の各実施の形態において、アンカー鉄筋３５ａ及び３５ｂを途中で屈曲しているものを例示したが、途中の屈曲部のない真っ直ぐなアンカー鉄筋３５ａ、３５ｂを用いても該当する請求項５乃至請求項８記載の発明の範囲に含まれる。
アンカー鉄筋３５ａ，３５ｂとして真直なものを用いるときは、箱篭鉄筋４５に筋交い鉄筋を付加することが好ましい。
【００３６】
【発明の効果】
請求項１、記載の発明においては、前述の通りに構成し、作用を為すから、これを使用するに先だってアンカー鉄筋が，容易に中空孔部分に嵌合でき、スリットから生モルタル乃至コンクリートを注入すれば、コンクリート版とこれら鉄筋とは強固に結合され、結合後、これら鉄筋が中空孔から抜け落ちたり、結合部分が劣化するおそれもない請求項５記載の発明のものが容易にできる効果を奏する。
またアンカー鉄筋の傾斜角の異なるものを用いて、下位置又は上位用コンクリートとしたり、段差寸法の異なる目的のためのコンクリート版としても使用可能である。
【００３７】
請求項２記載の発明に於いては，前述の通りに構成されているから、前記アンカー鉄筋と補強鉄筋が中空孔に一つおきに交互に取付けられ、各スリットのない中空孔にも注入孔が設けてあるから、これより生モルタル乃至コンクリートが注入でき、コンクリート版の接続端から前記生モルタル乃至コンクリートが溢出するのを確認するまで注入することが可能となり、補強鉄筋とコンクリート版の結合も強固なるものが得られる効果を奏する。その他の効果は請求項1記載の発明と同一の効果を奏する。
【００３８】
請求項３記載の発明のものにおいては、前述の通り構成し、作用を為すから、これら段差スラブを構築するときに、前記請求項１又は２記載の発明同様にアンカー鉄筋及び補強鉄筋を用いて下位用コンクリートを形成し、これを用いれば、接続部分の箱篭鉄筋はこの板状部の上に設置でき、この下面は下位用コンクリートがそのまま利用でき、この部分の下面を形成するための型枠も必要がなく、継目も下側には形成されず、綺麗なものとなる。
その他の効果は請求項１又は２記載の効果と同一の効果を奏する。
【００３９】
請求項４記載の発明のものにおいては、前述の通り構成し作用をなすから、内部に注入した生モルタル乃至コンクリートが前記中空孔天井面の凹凸部にも倣って固化するため、アンカー鉄筋や補充鉄筋に引張荷重が作用しても、中空孔に充填され固化したモルタル乃至コンクリート及び補強鉄筋が中空孔から抜けるおそれはない。
【００４０】
請求項５記載の発明においては、前述の通りに構成し、作用を為すから、コンクリート版とアンカー鉄筋及び補強鉄筋とは強固であり、その結合の信頼度は高く、段差スラブを構築する時は型枠内で箱篭鉄筋とを組付けるだけでよく、現場での施工が容易となる。
【００４１】
請求項６記載の発明においては、前述の通りに構成し、作用をなすから公知の中空孔のない段差スラブよりは遥かに軽量で同程度の強度を有する。
【００４２】
請求項７記載の発明においては、前述の方法を実施することにより容易に請求項６記載の発明のスラブが形成される効果を奏する。
【００４３】
請求項8記載の発明においては、前述の方法を実施することにより、接続部の下面がきれいなスラブが成形できるし、成形時にこの部分に必ずしも型枠を必要とせず施工が簡便である。
【図面の簡単な説明】
【図１】この発明の実施の形態１のコンクリート版及びこれに用いられるアンカー鉄筋及び補強鉄筋の斜視図である。
【図２】アンカー鉄筋トコンクリート版との関係を示す一部縦断側面図である。
【図３】コンクリート版のスリット及び注入孔部分の平面図である。
【図４】アンカー鉄筋とコンクリート版との結合状態を示す平面図である。
【図５】補強鉄筋とコンクリート版との結合状態を示す縦断側面図である。
【図６】実施の形態２の一部縦断側面図である。
【図７】実施の形態３に示す一対の上下位コンクリート版の斜視図である。
【図８】箱篭鉄筋及び格子状鉄筋の斜視図である。
【図９】段差スラブの接続部の縦断側面図である。
【図１０】接続部のアンカー鉄筋の状態を示す平面図である。
【図１１】下位用コンクリート版上に現場打コンクリートを打設後、上位用コンクリート打設前の状態を示す縦断側面図である。
【図１２】図１１の１２−１２線縦断側面図である。
【図１３】上位用コンクリート版上にコンクリートを打設後の縦断側面図である。
【図１４】公知のコンクリート版の斜視図である。
【符号の説明】
Ａ０  公知の中空孔明きコンクリート版
Ａ    コンクリート版
Ａ１  上位用コンクリート版
Ａ２  下位用コンクリート版
Ｂ１，Ｂ２    梁
２０    中空孔
２１    プレストレスＰＣ鋼材
２２    天井面
２３    接続端
２４    上面
２５    スリット
２６    終端
２７    広幅窪み
２９    板状部
３０    コッター窪
３１    凹凸
３５    アンカー鉄筋
３５ａ    上位用アンカー鉄筋
３５ｂ    下位用アンカー鉄筋
３６    補強鉄筋
３７    根元
３８    鍔
３８ｂ    鍔
３９    フック
４０    栓
４５    箱篭型接続梁用鉄筋（＝箱篭鉄筋）
４６    型枠
４７    起立壁
５０    モルタル乃至コンクリート
５１    現場打コンクリート
５２ａ  上格子状鉄筋
５２ｂ  下格子状鉄筋
【図１】
0004541592.tif 000002
【図２】
0004541592.tif 000003
【図３】
0004541592.tif 000004
【図４】
0004541592.tif 000005
【図５】
0004541592.tif 000006
【図６】
0004541592.tif 000007
【図７】
0004541592.tif 000008
【図８】
0004541592.tif 000009
【図９】
0004541592.tif 000010
【図１０】
0004541592.tif 000011
【図１１】
0004541592.tif 000012
【図１２】
0004541592.tif 000013
【図１３】
0004541592.tif 000014
【図１４】
0004541592.tif 000015